(57)【要約】【課題】  あらゆる面に取り付けることができるエルボ管継手を提供する。【解決手段】  管軸を屈曲し両端を接続口としたエルボ本体と、エルボ本体の屈曲角度に見合った角度に２つの取付面を屈曲してなるＬ字状座金とからなり、エルボ本体の外側に屈曲方向を合わせた状態でＬ字状座金の一方の取付面をエルボ本体の一方の管軸背面部に１８０度の範囲で回動可能に枢支し、さらにＬ字状金具の各取付面の向きとエルボ本体の各管軸が同一平面上となる中心位置および該中心位置からＬ字状座金を左右に９０度回動した何れかの位置においてＬ字状座金の回動を選択的にロック可能とした。【選択図】          図１
2007024262.tif 000002
【特許請求の範囲】
【請求項１】
管軸を屈曲し両端を接続口としたエルボ本体と、該エルボ本体の屈曲角度に見合った角度に２つの取付面を屈曲してなるＬ字状座金とからなり、エルボ本体の外側に屈曲方向を合わせてＬ字状座金を配置した状態で、Ｌ字状座金の一方の取付面を前記エルボ本体の一方の管軸背面部に１８０度の範囲で回動可能に枢支し、さらにＬ字状金具の各取付面の向きとエルボ本体の各管軸が同一平面上となる中心位置および該中心位置からＬ字状座金を左右に９０度回動した何れかの位置において当該Ｌ字状座金の回動を選択的にロック可能としたことを特徴とするエルボ管継手。
【請求項２】
エルボ本体の一方の管軸背面部には、回動用ビス孔とロック用ビス孔とを軸方向に沿って列設する一方、Ｌ字状座金の一方の取付面には、その中央に前記回動用ビス孔とビス止め可能な回動用通孔を設け、且つ、該回動用通孔から同一半径内に９０度毎に前記ロック用ビス孔と選択的にビス止め可能な３つのロック用通孔を設けた請求項１記載のエルボ管継手。
【請求項３】
エルボ本体の一方の管軸背面部には、回動用ビス孔とロック用突起とを軸方向に沿って列設する一方、Ｌ字状座金の一方の取付面には、その中央に前記回動用ビス孔とビス止め可能な回動用通孔を設け、且つ、該回動用通孔から同一半径内に９０度毎に前記ロック用突起と選択的に係合可能なロック用凹部を設けた請求項１記載のエルボ管継手。
【請求項４】
エルボ本体およびＬ字状座金の屈曲角度は９０度とした請求項１、２または３記載のエルボ管継手。
【請求項５】
エルボ本体の他方の管軸背面部およびＬ字状座金の他方の取付面にも、同一の構成を施した請求項１から４のうち何れか一項記載のエルボ管継手。
【発明の詳細な説明】
【技術分野】
【０００１】
この発明は、取付用座金を備えたエルボ管継手に関するものである。
【背景技術】
【０００２】
配管作業において２種の異なる向きの配管を接続する場合、エルボ管継手が使用される。そして、このエルボ管継手には、単に管軸を折り曲げて２つの接続口を９０度変位させたもの（例えば特許文献１）と、管軸の背面部に取付用座金を備えたもの（例えば非特許文献１）の二種類がある。このうち、管軸背面部に座金を備えたものは、その座金にビス孔等の取付孔を有するため、エルボ管継手を配管作業に際して壁面等に単独で固定することができる。
【０００３】
従来の取付用座金付きエルボ管継手は、座金部分を鋳物によって一体成型してなる。なお、非特許文献１に示された座付き給水栓エルボは、座が平板状であるが、この他、図４に示すように、エルボ本体５０の屈曲管軸５１・５２に沿ってＬ字状に屈曲された座５３を鋳物によって一体成型したものも公知である。当該座５３の各取付面５４・５５にはビス孔５６…５６が形成されている。
【０００４】
【特許文献１】特開２００２−１０６７７６号公報
【非特許文献１】積水化学工業株式会社  給排水システム事業部、エスロンスーパーエスロメタックス及びメタッチカタログ、第２頁「配管イメージ図（メタッチ座付き給水栓エルボ）」第５頁「エスロンメタッチのラインナップ：座付き給水栓エルボ」、２００３年５月初版、２００３年７月改訂２版、資料番号ＡＭ−ＳＭ０２
【発明の開示】
【発明が解決しようとする課題】
【０００５】
上記従来の座金付きエルボ管継手は、座をエルボ本体に一体成型したものであるため、壁面等に対する取付面が限定される。即ち、座が平板状のものは一面、Ｌ字状のものであっても二面にしか対応できない。特に、エルボ管の側面に取り付けたい壁面等が存在する場合は、上記従来の技術では全く対応できない。従って、従来は座の成型位置を変えた数種のものをラインナップするというメーカー側にとっての負担と、そこから使用者が選択するといった手間があった。また、鋳物による一体成型の場合、座を平面加工する必要があり、生産性やコスト面で不利であった。
【０００６】
本発明は上述した課題に鑑みなされたもので、その目的とするところは、あらゆる面に取り付けることができるエルボ管継手を提供することである。
【課題を解決するための手段】
【０００７】
上述した目的を達成するために本発明では、管軸を屈曲し両端を接続口としたエルボ本体と、該エルボ本体の屈曲角度に見合った角度に２つの取付面を屈曲してなるＬ字状座金とからなる。そして、エルボ本体の外側に屈曲方向を合わせてＬ字状座金を配置した状態で、Ｌ字状座金の一方の取付面を前記エルボ本体の一方の管軸背面部に１８０度の範囲で回動可能に枢支する。これと共に、Ｌ字状金具の各取付面とエルボ本体の各管軸が合致した中心位置および該中心位置からＬ字状座金を左右に９０度回動した何れかの位置において当該Ｌ字状座金の回動を選択的にロック可能という手段を用いる。この手段において、Ｌ字状座金はエルボ本体を壁面等に固定する部材として機能する。そして、Ｌ字状座金の各取付面のうちエルボ本体の管軸背面部に回動可能に枢支した一方の取付面によって、取付対象となる壁面等がエルボ本体の背面側に存在する場合に対応する。また、Ｌ字状座金を回動させることによって、エルボ本体の残る三面（他方の管軸背面部および左右側面）に壁面等が存在する場合でも本エルボ管継手を取付けることができる。。
【０００８】
また具体的構成として、請求項２では、エルボ本体の一方の管軸背面部には、回動用ビス孔とロック用ビス孔とを軸方向に沿って列設する一方、Ｌ字状座金の一方の取付面には、その中央に前記回動用ビス孔とビス止め可能な回動用通孔を設け、且つ、該回動用通孔から同一半径内に９０度毎に前記ロック用ビス孔と選択的にビス止め可能な３つのロック用通孔を設けるという手段を採用する。
【０００９】
一方、別の具体的構成として、請求項３では、エルボ本体の一方の管軸背面部には、回動用ビス孔とロック用突起とを軸方向に沿って列設する一方、Ｌ字状座金の一方の取付面には、その中央に前記回動用ビス孔とビス止め可能な回動用通孔を設け、且つ、該回動用通孔から同一半径内に９０度毎に前記ロック用突起と選択的に係合可能なロック用凹部を設ける。
【００１０】
なお、エルボ本体およびＬ字状座金の屈曲角度は同一である必要があるが、より具体的には９０度とすることで、汎用性を備える。また、上述した回動および固定構造と同一の構成をエルボ本体の他方の管軸背面部およびＬ字状座金の他方の取付面にも施すことによって、利便性が高まる。
【発明の効果】
【００１１】
以上説明した手段を採用する本発明によれば、エルボ本体にＬ字状座金を回動可能に設け、９０度毎にその回動を規制して位置決め可能としたので、２つの接続口を除くエルボ本体の四面の何れに取付対象となる壁面等が存在しても、本エルボ管継手を壁面等に取付けることができる。このため、座の位置を変えた数種の製品を製造する必要がなくなり、生産性およびコスト面で有利となると共に、使用者にとっても数種の中から選択する手間がなくなる。さらに、Ｌ字状座金はエルボ本体と別体に鉄やステンレスなどによって製造されるため、鋳物による一体成型時のように平面加工が不要となった。
【発明を実施するための最良の形態】
【００１２】
以下、本発明の好ましい実施の形態を添付した図面に従って説明する。図１、２は本発明の第一実施形態であり、図中、１は管軸１ａ・１ｂを９０度屈曲してなるエルボ本体、２は一方の管軸１ａの背面部に取り付けられたＬ字状座金である。エルボ本体１は、２つの接続口１ｃ・１ｄを備え、この実施形態の場合、一方の接続口１ｄはワンタッチ継手を構成してるが、ネジ接続や袋ナット接続であってもよく、接続口の具体的構成は特定のものに限定されない。また、エルボ本体１の屈曲角度も９０度が一般的であるが、発明としてこれに限定するものではない。
【００１３】
このようなエルボ本体１において、その一方の管軸１ａ（本実施形態の場合、縦軸側）の背面部には段部１ｅが突成され、該段部１ｅには上に回動用ビス孔１ｆが、その下にロック用ビス孔１ｇが管軸１ａの軸方向に沿って形成されている。
【００１４】
一方、Ｌ字状金具２は、２つの取付面２ａ・２ｂを９０度屈曲してなり、各取付面２ａ・２ｂの四隅数カ所には壁面等にビス止めするための取付孔２ｃ…２ｃが形成されている。また、一方の取付面２ａ（本実施形態の場合、垂直側）の中央には、エルボ本体１の回動用ビス孔１ｆとビス止め可能な回動用通孔２ｄが形成されていると共に、エルボ本体１の回動用ビス孔１ｅとロック用ビス孔１ｆのかい離距離を半径として、回動用通孔２ｄの左右および真下の三箇所には（即ち、９０度毎に）ロック用ビス孔１ｇとビス止め可能なロック用通孔２ｅ・２ｆ・２ｇが形成されている。
【００１５】
エルボ本体１の回動用ビス孔１ｆとＬ字状金具２の回動用通孔２ｄにはビス３が取り付けられ、該ビス３を緩めることで、ビス３を軸としてＬ字状金具２を回動可能に枢支する。そして、図１に示した状態では、両者１・２の屈曲方向を合わせ、且つ、Ｌ字状金具２の各取付面２ａ・２ｂをエルボ本体１の各管軸１ａ・１ｂと同一向きとした状態で、エルボ本体１のロック用ビス孔１ｇに対して、Ｌ字状金具２の回動用通孔２ｄの真下に位置するロック用通孔２ｇを別のビス４によって固定している。
【００１６】
即ち、図１の状態は、Ｌ字状座金２の各取付面２ａ・２ｂの屈曲線（向き）とエルボ本体１の各管軸１ａ・１ｂの軸線が同一平面上にあり、この状態を中心位置として、図２に示したように、Ｌ字状座金２を正面視で左（反時計回り）に９０度回転させ、エルボ本体１のロック用ビス孔１ｇに対するビス４の取付け位置を、Ｌ字状座金２の背面視で回動用通孔２ｄの右側に位置したロック用通孔２ｅに付け替えることで、Ｌ字状座金２の他方の取付面２ｂをエルボ本体１の左側面側に位置変更することができる。これとは反対側にＬ字状座金２を回転させることで、図２とは左右対称に他方の取付面２ｂを位置変更できることはもちろんである。
【００１７】
このように本発明によれば、エルボ本体１に対して回動可能に枢支した一方の取付面２ａによってエルボ本体１の背面側に取付け対応面が確保されると共に、Ｌ字状座金２の２つのロック用通孔２ｅ・２ｆ・２ｇからエルボ本体１のロック用ビス孔１ｇに対するビス４の取付け位置を選択的に変更することで、他方の取付面２ｂによりエルボ本体１の上面および左右面の三面にも対応面が確保されるから、エルボ本体１の接続口１ｃ・１ｄを除く四面の何れに壁面等がある場合でも、本エルボ管継手を取付けることができる。
【００１８】
図３は、本発明の第二実施形態を示したものであり、第一実施形態との相違点のみを説明する。即ち、この第二実施形態では、第一実施形態における位置決め構成として、位置決め後の固定用ビス４を省略すると共に、ロック用ビス孔１ｇおよびロック用通孔２ｅ・２ｆ・２ｇに代えて、エルボ本体１にはロック用突起５を、またＬ字状金具２には前記突起５と係合可能なロック用凹部６…６を設けたものである。これらの形成位置は第一実施形態と同じであり、またＬ字状座金２の回動構成についても同じであるから、基本的な作用効果は第一実施形態と同じものを奏する。
【００１９】
なお、この第二実施形態の特有の効果としては、用いるビスが回動用の１つとなるため、ロック用ビス４の締め込みが省略できて作業が楽であり、またロック用ビス４を紛失等する恐れもないことが挙げられる。ただし、第一実施形態では２つのビスによって位置決め後のＬ字状金具２をエルボ本体１に固定するため、Ｌ字状座金２をエルボ本体１に強固に固定できるという利点がある。
【図面の簡単な説明】
【００２０】
【図１】本発明の第一実施形態に係るエルボ管継手（中心位置）の（ａ）正面図、（ｂ）右側面図、（ｃ）背面図
【図２】本発明の第一実施形態に係るエルボ管継手（回転後）の（ａ）正面図、（ｂ）右側面図、（ｃ）背面図
【図３】本発明の第二実施形態に係るエルボ管継手の（ａ）右側面図、（ｂ）背面図
【図４】従来の座金付きエルボ管継手の（ａ）正面図、（ｂ）右側面図
【符号の説明】
【００２１】
１  エルボ本体
２  Ｌ字状金具
３  回動用ビス
４  ロック用ビス
５  ロック用突起
６  ロック用凹部
【図１】
2007024262.tif 000003
【図２】
2007024262.tif 000004
【図３】
2007024262.tif 000005
【図４】
2007024262.tif 000006